(57)【要約】【課題】  末梢神経が集中する背骨の上を確実に刺激することで、血流の改善を図る血流改善着を提供する。【解決手段】  本発明に係る血流改善着は、血流を促進するものであり、上衣１と下衣２とを備えたものである。前記上衣１は、背面側の首下に、背骨刺激部３を備える。前記背骨刺激部３は、上衣１の裏面において、血流を改善する成分を含む素材にて形成された複数の突起を、少なくとも上下方向に分布させた部位である。少なくとも背骨刺激部３の前記突起は、遠赤外線を放出する素材の粒を含む。【選択図】          図１
2014201842.tif 000002
【特許請求の範囲】
【請求項１】
血流を促進する、上衣を備えた血流改善着において、
前記上衣の背面側の首下に、背骨刺激部を備え、
前記背骨刺激部は、上衣の裏面において、血流を改善する成分を含む素材にて形成された複数の突起を、少なくとも上下方向に分布させた部位であることを特徴とする血流改善着。
【請求項２】
前記上衣は、その後身頃に後ダーツが設けられ、
前記後ダーツは、ショルダーラインとバストラインとの間において背骨と交差する横方向に伸びることによって、後ダーツよりも上方の部位を着用状態で着用者の背中に接近させるものであり、
前記突起の少なくと一部は、前記後ダーツよりも上方の部位に設けられることにより、前記後ダーツを設けない場合よりも前記着用者の首下に接近した状態となることを特徴とする請求項１記載の血流改善進着。
【請求項３】
前記上衣は、前身頃と、前記背骨刺激部が設けられた後身頃と、前記前身頃及び後身頃と別体に形成された首根被覆片とを備え、
前記首根被覆片の裏面に、血流を改善する成分を含む素材にて形成された複数の突起が分布し、
前記前身頃は首ぐりの前縁を備え、前記首根被覆片は首ぐりの後縁を備え、
前記首根被覆片は、前身頃の上端辺と後身頃上端辺との間に介され、左右両肩と背中側における首根とを被覆するものであり、
前記後縁の左右に位置する前記首根被覆片の前端辺の夫々は、肩の頂点よりも前方であり且つ胸よりも上方において、前記前縁の左右に位置する前記前身頃の上端辺の夫々に縫い合わされ、
前記首根被覆片の後端辺は、肩の頂点より後方であり且つ前記首根よりも下方において、前記後身頃の上端辺に縫い合わされ、
前記首根被覆片の、肩の頂点よりも前記左右の前端辺寄りにて、首ぐりの左右夫々へダーツが前ダーツとして形成され、
前記首根被覆片の、肩の頂点よりも前記後端辺寄りにて、背骨と交差するダーツが後ダーツとして形成されたものであることを特徴とする請求項１又は２記載の血流改善進着。
【請求項４】
少なくとも背骨刺激部の前記突起は、遠赤外線を放出する素材の粒を含むことを特徴とする請求項１〜３の何れかに記載の血流改善着。
【請求項５】
前記上衣と一体又は前記上衣と別体に形成された下衣を備え、
前記の下衣の裏面において、血流を改善する成分を含む素材にて形成された複数の突起を、腹部を被覆する部位へ分布させたことを特徴とする請求項１〜４の何れかに記載の血流改善着。
【発明の詳細な説明】
【技術分野】
【０００１】
本発明は、血流改善着に関するものである。
【背景技術】
【０００２】
近年、遠赤外線セラミックなどの遠赤外線を発する素材を設けて、遠赤外線により人体のつぼを刺激する肌着などの衣類が、種々提案されている。
一例として、特許文献１や特許文献２を掲げることができる。
【０００３】
特許文献１には、シリコン又はウレタン等の熱硬化性合成樹脂粒状体の有する保湿性にて、トルマリン、麦飯石、松こう石、プラチナ、金、銀、チタン、又は炭等の粉末の有する血液の促進効果と細胞の活性化効果を高めることにより各種の慢性疾患を改善することを目的として、サポーター、肌着、靴下、ストッキング等の特に皮膚に直接接触する被服類の裏面に改善機能性粉末物質を含んでなるシリコン又はウレタン等の熱硬化性合成樹脂粒状体を所定範囲にわたって点描状に硬化させてなる健康衣類が示されている。特許文献１の図２には、肩部又は肩甲骨該当部６に、上記熱硬化性合成樹脂粒状体１１が点描状に設けられたものが示されている。
【０００４】
また、特許文献２には、マイナスイオンを発生させると共に遠赤外線を発生させ、人体のつぼを刺激することが可能であり、更に安価で大量生産ができる肌着の提供を目的として、繊維からなる肌着の所定個所に、多数個の小片膜を互いに離間させて所定の範囲に配列して構成した遠赤外線発生膜２と、マイナスイオンを発生する主成分がシリコンからなるマイナスイオン発生体１０を複数個配列したマイナスイオン発生群１１が肌着１の内面に設けられ、遠赤外線発生膜２からは遠赤外線と同時にマイナスイオンが放射され、身体を適度に暖めることにより保温性を高め、身体の皮膚から放出した汗が、遠赤外線発生膜２を構成する小片膜３の間から放出され、マイナスイオン発生群１１が、突起部１０ａによって人体のつぼを刺激すると共につぼに対してマイナスイオンを発生させるものが示されている。
特許文献２の図１には、上記小片膜３が設けられた腹巻１が示されている。
尚、特許文献１及び２の上記各部材の番号は、本欄でのみ用いるものであり、明細書の他の欄の番号と無関係である。
【先行技術文献】
【特許文献】
【０００５】
【特許文献１】実用新案登録３０９６２６６号公報
【特許文献２】特開２００６−２６５７８４号公報
【発明の概要】
【発明が解決しようとする課題】
【０００６】
体内において背骨の上には末梢神経が集中しており、身体の当該部位に外部から刺激を与えることにより、血流を改善する効果が期待できる。
しかし、特許文献１及び２の何れにも、背骨を刺激して、血流を改善するものは示されていない。
特に背骨の首根の凹みへの刺激が望まれるが、肌着の上衣の場合、背骨の首根は首と共に露出し被覆されるものではない。また、シャツの場合、シャツの襟首は、背骨の首根から、浮き上がった状態になって離れている。
従って、従来の肌着の上衣やシャツに、遠赤外線を発する素材などの血流を改善する成分を含んだ素材を配置したとしても、背骨の首根の凹みを確実に刺激することはできなかった。
また、背骨の首根の上記凹みと同様、特許文献１及び２の何れにも、肩と鎖骨との間の凹みを確実に刺激するものは示されていない。
本発明は、先ず背骨に集中する末梢神経を刺激することが可能な血流改善着の提供を目的とする。その上で、本発明は、特に背骨の首根の凹みを刺激することができるものの提供を目的とする。更に、本発明は、肩と鎖骨との間の凹みを刺激することができるものの提供も目的とする。
【課題を解決するための手段】
【０００７】
本発明では  血流を促進する、上衣を備えた血流改善着において、前記上衣の背面側の首下に、背骨刺激部を備え、前記背骨刺激部は、上衣の裏面において、血流を改善する成分を含む素材にて形成された複数の突起を、少なくとも上下方向に分布させた部位である血流改善着を提供する。
前記上衣は、その後身頃に後ダーツが設けられ、前記後ダーツは、ショルダーラインとバストラインとの間において背骨と交差する横方向に伸びることによって、後ダーツよりも上方の部位を着用状態で着用者の背中に接近させるものであり、前記突起の少なくと一部は、前記後ダーツよりも上方の部位に設けられることにより、前記後ダーツを設けない場合よりも前記着用者の背中上部に接近した状態となるように構成することが有利である。
また、本発明では、前記上衣が、前身頃と、前記背骨刺激部が設けられた後身頃と、前記前身頃及び後身頃と別体に形成された首根被覆片とを備え、前記首根被覆片の裏面に、血流を改善する成分を含む素材にて形成された複数の突起が分布し、前記前身頃は首ぐりの前縁を備え、前記首根被覆片は首ぐりの後縁を備え、前記首根被覆片は、前身頃の上端辺と後身頃上端辺との間に介され、左右両肩と背中側における首根とを被覆するものであり、前記後縁の左右に位置する前記首根被覆片の前端辺の夫々は、肩の頂点よりも前方であり且つ胸よりも上方において、前記前縁の左右に位置する前記前身頃の上端辺の夫々に縫い合わされ、前記首根被覆片の後端辺は、肩の頂点より後方であり且つ前記首根よりも下方において、前記後身頃の上端辺に縫い合わされ、前記首根被覆片の、肩の頂点よりも前記左右の前端辺寄りにて、首ぐりの左右夫々へダーツが前ダーツとして形成され、前記首根被覆片の、肩の頂点よりも前記後端辺寄りにて、背骨と交差するダーツが後ダーツとして形成されたものである血流改善進着を提供し得る。
【０００８】
前記首根とは首の付け根をいう。
更に本発明では、少なくとも背骨刺激部の前記突起が、前記背骨刺激部の裏面に、遠赤外線を放出する素材の粒を配合したプリント材料を、常法によってプリント加工することにより設けられた血流改善着を提供し得る。
また更に本発明では、前記上衣と一体又は前記上衣と別体に形成された下衣を備え、前記の下衣の裏面において、血流を改善する成分を含む素材にて形成された複数の突起を、腹部を被覆する部位へ分布させた血流改善着を提供し得る。
【発明の効果】
【０００９】
本発明は、背骨刺激部により、血流を改善する成分を含む素材にて形成された複数の突起にて、身体の背骨の上を刺激することを可能とした。
更に上衣の裏面において、血流を改善する成分を含む素材にて形成された複数の突起を、首根被覆部に分布させることにて、前記肩被覆片の後端辺の上方に、背中側における首根の血流を促進させることが可能となった。
特に後ダーツを設けることによって、上衣の生地が後ダーツを設けない場合よりも前記着用者の首下に接近した状態となるため、効果的に身体に当接し、刺激を与えることができる。
また、下衣の腹部を覆う部位に、血流を改善する成分を含む素材にて形成された複数の突起を設けることによって、腹部の血流の改善も可能とした。
【図面の簡単な説明】
【００１０】
【図１】（Ａ）は本発明の一実施の形態に係る血流刺激着の使用状態を示す背面図、（Ｂ）は（Ａ）の正面図。
【図２】（Ａ）は図１（Ａ）の背面を斜めに見た斜視図、（Ｂ）は図１（Ｂ）の正面を斜めに見た斜視図。
【図３】同血流刺激着の後ダーツの説明図。
【図４】図１に示す実施の形態における上衣の表面側を示す分解平面図。
【図５】（Ａ）は図１に示す実施の形態における上衣の表面側を示す分解平面図、（Ｂ）は図１に示す実施の形態における下衣の表面側ほ示す分解平面図。
【発明を実施するための形態】
【００１１】
以下、図面を参照して本発明の一実施の形態について説明する。
尚、各構成について左右の記載は、身体の左右（右半身、左半身）に対応する。
図１及び図２へ示す通り、この血流改善着は、上衣１と、下衣２とを備える。
【００１２】
（上衣１）
上衣１は、図４及び図５（Ａ）へ示す通り互いに別体の布片として形成され図１及び図２へ示す通り縫製により一体にされる、前身頃１１と、後身頃１２と、１枚の首根被覆片１３と、左右の袖部１４とを備える。
構成部材の関係を明瞭にするため、図４及び図５（Ａ）において、首根被覆片１３を重複して描いている。
更に上衣１は、図１及び図２へ示す通り、背骨刺激部３と、左右の脇腹引締部４と、左右の腕引締部５と、左右の胸部支持部６とを備える。
【００１３】
（前身頃１１）
図４へ示す通り、前身頃１１を展開した状態において、前身頃１１の輪郭は、首ぐりの前縁１１ａと、左上端辺１１ｂと、右上端辺１１ｃと、左上側辺１１ｄと、右上側辺１１ｅと、左下側辺１１ｇと、右下側辺１１ｈと、下端辺１１ｆとにて、象られている。
首ぐりの前縁１１ａの左側に左上端辺１１ｂが連なり、首ぐりの前縁１１ａの右側に右上端辺１１ｃが連なる。左上端辺１１ｂは、左下がりに斜めに伸びており、下端に左上側辺１１ｄが連なる。右上端辺１１ｃは、右下がりに斜めに伸びており、下端に右上側辺１１ｅが連なる。左上側辺１１ｄの下端に左下側辺１１ｇが連なる。左下側辺１１ｇは下方へ伸びる。右上側辺１１ｅの下端に右下側辺１１ｈが連なる。右下側辺１１ｈは下方へ伸びる。下端辺１１ｆは、左右横方向に伸びて、左下側辺１１ｇの下端と右下側辺１１ｈの下端とを繋ぐ。左上側辺１１ｄは、左袖に対応する袖ぐりの縁の一部を構成する。右上側辺１１ｅは、右袖に対応する袖ぐりの縁の一部を構成する。
【００１４】
（後身頃１２）
図５（Ａ）へ示す通り、後身頃１２を展開した状態において、後身頃１２の輪郭は、上端辺１２ａと、左上側辺１２ｄと、右上側辺１２ｅと、左側辺１２ｇと、右側辺１２ｈと、下端辺１２ｆとにて、象られている。上端辺１２ａは左右に伸びる。上端辺１２ａの左右方向における中央は、緩やかに上方に盛り上がった状態にカーブしている。左上側辺１２ｄは、上端辺１２ａの左端に連なって弧状に伸び、左袖に対応する袖ぐりの縁の一部を構成する。右上側辺１２ｅは、上端辺１２ａの右端に連なって弧状に伸び、右袖に対応する袖ぐりの縁の一部を構成する。
左側辺１２ｇは左上側辺１２ｄの左端から下方に伸びる。右側辺１２ｈは右上側辺１２ｅの右端から下方に伸びる。下端辺１２ｆは、左右横方向に伸びて、左側辺１２ｇの下端と右側辺１２ｈの下端とを繋ぐ。
後身頃１２の左側辺１２ｇは、前身頃１１の左下側辺１１ｇに縫い合わされ、後身頃１２の右側辺１２ｈは、前身頃１１の右下側辺１１ｈに縫い合わされて、上衣１の筒状の胴体部分を形成する。
【００１５】
（首根被覆片１３）
図４及び図５（Ａ）へ示す通り、首根被覆片１３を展開した状態において、首根被覆片１３の輪郭は、首ぐりの後縁１３ａと、左前端辺１３ｂと、右前端辺１３ｃと、左端辺１３ｄと、右端辺１３ｅと、後端辺１３ｆとにて象られている。
首ぐりの後縁１３ａの左側に左前端辺１３ｂが連なり、首ぐりの後縁１３ａの右側に右前端辺１３ｃが連なる。左端辺１３ｄは、左前端辺１３ｂの左端に連なって弧を呈して後方へ伸び、左袖に対応する袖ぐりの縁の一部を構成する。右端辺１３ｅは、右前端辺１３ｃの右端に連なって弧を呈して後方へ伸び、右袖に対応する袖ぐりの縁の一部を構成する。後端辺１３ｆは、左右横方向に伸びて左端辺１３ｄの後端と右端辺１３ｅの後端とを繋ぐ。後端辺１３ｆの左右方向における中央は、緩やかにカーブして前方に後退している。
首根被覆片１３の裏面全体には、遠赤外線を発する遠赤外線セラミックを成分とする複数の突起（図示しない）が分布する。突起は、プリントによって首根被覆片１３の裏面へ設けることができる。
【００１６】
図１（Ａ）及び図２（Ａ）へ示す通り、首根被覆片１３は、前身頃１の左右上端辺１１ｂ，１１ｃと後身頃１の上端辺１２ａとの間に介され、左右両肩と背中側における首根とを被覆する。
具体的には、首根被覆片１３の左前端辺１３ｂと右前端辺１３ｃの夫々は、図１（Ｂ）へ示す通り、肩の頂点ｔ０よりも前方であり且つ胸（胸部の上端を示す仮想線ｍ）よりも上方において、前縁１３ａの左右に位置する前記前身頃の左右の上端辺１３ｂ，１３ｃの夫々に縫い合わされる。尚、図４及び図５（Ａ）のｔは、肩の頂点ｔ０を含むショルダーラインを示す。
首根被覆片１３の後端辺１３ｆは、肩の頂点ｔ０より後方であり且つ首根よりも下方において、図１（Ａ）へ示す通り、後身頃１２の上端辺１２ａに縫い合わされる。
【００１７】
図３へ示す通り、首根被覆片１３と後身頃１２との間に、背骨と交差する後ダーツが形成されている。
具体的には、後ダーツｄ２１、ｄ２２は、首根被覆片１３の首ぐりの後縁１３ａ及びショルダーラインｔよりも後方であって、首根被覆片１３の後端辺１３ｆと、後身頃１２の上端辺１２ａとの間の縫製によって形成されたものである。具体的には、図３のように、平面上に生地を置いた場合に、その中央（ｄ２１）と左右両側（ｄ２２）とに間隔が空くように、生地取りする。この状態で、首根被覆片１３の後端辺１３ｆと、後身頃１２の上端辺１２ａとを縫着することによって、立体的な形状に生地が縫製される。即ち、左右両側の後ダーツｄ２２にあっては、中央から左右に向かうに従って縫製前の間隔が大きくなるようにすることによって、また、中央の後ダーツｄ２１にあっては、中央から左右に向かうに従って縫製前の間隔が小さくなるようにすることによって、後ダーツｄ２１、ｄ２２を設けない状態よりも、首根被覆片１３の上端側が前倒しになるように立体的な形状となる。
このように、後ダーツｄ２１、ｄ２２によって、首根被覆片１３が背中に近づく立体形状を示し、首根被覆片１３が背中から離れることを抑制し、遠赤外線を発する遠赤外線セラミックを成分とする複数の突起による血流改善効果を発揮し易くすることができる。
【００１８】
他方、前ダーツは、図４へ示す通り、首根被覆片１３の左右の前端辺１３ｂ，１３ｃと、前身頃１１の左上端辺１１ｂ及び右上端辺１１ｃとをそれぞれ縫製する際に、対向する両辺の間隔が、上方（首回り）に近づくにつれて、大きくなるように生地取りするものであり、この間隔を開けられた前端辺１３ｂ，１３ｃと、左上端辺１１ｂ及び右上端辺１１ｃとを縫着することによって、胸から首に掛けての立体的な形状に沿い易いものとしたものである。
【００１９】
（袖部１４）
図４へ示す通り、左右の袖部１４の夫々を展開した状態において、各袖部１４の輪郭は、基端辺１４ａと、先端辺１４ｂと、第１側辺１４ｃと、第２側辺１４ｄとにて象られている。袖部１４は、第１側辺１４ｃと第２側辺１４ｄとを縫い合わせることにより筒状に形成される。縫い合わされた前身頃１１と及び後身頃１２とが備える袖ぐりに、当該筒の基端をなす基端辺１４ａが縫い合わされて、上衣１の胴体部分に対して袖が付けられる。
【００２０】
（背骨刺激部３）
背骨刺激部３は、図１（Ａ）へ示すように後身頃１２には、後身頃１２の上端辺１２ａの左右方向における中央から、後身頃１２の下端辺１２ｆの左右方向における中央へ掛けて上下方向に伸びる部位である。背骨刺激部３は、上衣１の裏面に遠赤外線を発するセラミックを成分とする複数の突起を分布させた部位である。即ち、背骨刺激部３において、当該複数の突起は、背骨に沿って上下に分布する。背骨刺激部３は、例えばプリントにより、上衣１の裏面に設けることができる。
【００２１】
（脇腹引締部４）
図１（Ａ）へ示す通り、左側の脇腹引締部４は、後身頃１２の上端辺１２ａの上記背骨刺激部３の右側から、後身頃１２の左側辺１２ｇの脇腹位置にかけて斜めに伸び、右側の脇腹引締部４は、後身頃１２の上端辺１２ａの上記背骨刺激部３の左側から、後身頃１２の右側辺１２ｈの脇腹位置にかけて斜めに伸びる部位である。この実施の形態において、左右の脇腹引締部４同士は、Ｘ字状に交差する。当該Ｘの交差点を上記背骨刺激部３が縦に通る。
脇腹引締部４は、上衣１の裏面に、遠赤外線を発するセラミックを成分とする複数の突起を分布させた部位である。
【００２２】
（腕引締部５）
左右の腕引締部５は、図１及び図２（Ａ）へ示す通り、左右の袖部１４の脇下の部位である。腕引締部５は、袖部１４の裏面に、遠赤外線を発するセラミックを成分とする複数の突起を分布させた部位である。当該複数の突起をプリントにより、袖部１４の裏面に設けることができる。
【００２３】
（胸部支持部６）
図１（Ｂ）及び図２（Ｂ）へ示す通り、左右の胸部支持部６は、夫々前身頃１１の胸部の左右から脇腹に至る部位である。胸部支持部６は、上衣１の裏面に、遠赤外線を発するセラミックを成分とする複数の突起を分布させた部位である。当該複数の突起をプリントにより、上衣１の裏面に設けることができる。
【００２４】
（下衣２）
下衣２は、図５（Ｂ）へ示す通り互いに別体の布片として形成され図１及び図２へ示す通り縫製により一体にされる、左被覆片２１と、右被覆片２２と、前被覆片２３と、後被覆片２４と、クロッチ片２５とを備える。
更に下衣２は、図１及び図２へ示す、左右の腰締付部７と、左右の臀部支持部８とを備える。
【００２５】
（左被覆片２１）
展開した状態において、左被覆片２１の輪郭は、図５（Ｂ）へ示す通り、上辺２１ａと、外上辺２１ｂと、内上辺２１ｃと、外下辺２１ｄと、内下辺２１ｅと、下辺２１ｆとに象られている。
上辺２１ａは左右に伸び、外上辺２１ｂは上辺２１ａの左端から左側へ湾曲しつつ下方へ伸び、内上辺２１ｃは上辺２１ａの右端から右側へ湾曲しつつ下方に伸びる。外下辺２１ｄは、外上辺２１ｂの下端から右下方へ斜めに伸びる。内下辺２１ｅは、内上辺２１ｃの下端から左側へ湾曲しつつ、下方へ向けて伸びる。下辺２１ｆは左右に伸び外下辺２１ｄの下端と内下辺２１ｅの下端とを繋ぐ。
【００２６】
（右被覆片２２）
展開した状態において、右被覆片２２の輪郭は、図５（Ｂ）へ示す通り、上辺２２ａと、外上辺２２ｂと、内上辺２２ｃと、外下辺２２ｄと、内下辺２２ｅと、下辺２２ｆとに象られている。
上辺２２ａは左右に伸び、外上辺２２ｂは上辺２２ａの右端から右側へ湾曲しつつ下方へ伸び、内上辺２２ｃは上辺２２ａの左端から左側へ湾曲しつつ下方に伸びる。外下辺２２ｄは、外上辺２２ｂの下端から左下方へ斜めに伸びる。内下辺２２ｅは、内上辺２２ｃの下端から右側へ湾曲しつつ、下方へ向けて伸びる。下辺２２ｆは左右に伸び外下辺２２ｄの下端と内下辺２２ｅの下端とを繋ぐ。
【００２７】
（前被覆片２３）
展開した状態において、前被覆片２３の輪郭は、図５（Ｂ）へ示す通り、左右方向に伸びる上辺２３ａと、上辺２３ａの左端に連なり右側へ湾曲しつつ下方へ伸びる左辺２３ｂと、上辺２３ａの右端に連なり左側へ湾曲しつつ下方へ伸びる右辺２３ｃと、下辺２３ｄとに象られている。
下辺２３ｄは、左右へ伸びて左辺２３ｂと右辺２３ｃとを繋ぐ。
前被覆片２３の裏面全体に、遠赤外線を発する遠赤外線セラミックを成分とする複数の突起（図示しない）が分布する。突起は、プリントによって前被覆片２３の裏面へ設けることができる。
【００２８】
（後被覆片２４）
展開した状態において、後被覆片２４の輪郭は、図５（Ｂ）へ示す通り、左右方向に伸びる上辺２４ａと、上辺２４ａの左端に連なり右側へ湾曲しつつ下方へ伸びる左辺２４ｂと、上辺２４ａの右端に連なり左側へ湾曲しつつ下方へ伸びる右辺２４ｃと、下辺２４ｄとに象られている。下辺２３ｄは、上方へＶ字状に後退する部位を備え、左辺２４ｂと右辺２３ｃとを繋ぐ。
尚、後被覆片２４の各部については、縫製後の配置を基準に説明する。このため、後被覆片２４の上下左右の位置関係は、図５（Ｂ）と上下逆になる。
【００２９】
（クロッチ片２５）
展開した状態において、クロッチ片２５の輪郭は、図５（Ｂ）へ示す通り、前方へ凸状に湾曲する前辺２５ａと、前辺２５ａの左端から後方へ伸びる左辺２５ｂと、前辺２５ａの右端から後方へ伸びる右辺２５ｃと、左右に伸び左辺２５ｂの後端と右辺２５ｃの後端とを繋ぐ後辺２５ｄとにて象られている。
【００３０】
前被覆片２３の左辺２３ｂを左被覆片２１の内上辺２１ｃへ縫い合わせ、前被覆片２３の右辺２３ｃを右被覆片２２の内上辺２２ｃへ縫い合わせ、後被覆片２４の左辺２４ｂを左被覆片２１の外上辺２１ｂへ縫い合わせ、後被覆片２４の右辺２４ｃを右被覆片２２の外上辺２２ｂへ縫い合わせることによって腰を収容する筒状部を形成する。そして、前被覆片２３の下辺２３ｄをクロッチ片２５の前辺２５ａへ縫い合わせる。
左被覆片２１の外下辺２１ｄを、左被覆片２１の内下辺２１ｅへ縫い合わせて、筒状の左足の挿入部を形成する。
右被覆片２２の外下辺２２ｄを、右被覆片２２の内下辺２２ｅへ縫い合わせて、筒状の右足の挿入部を形成する。
クロッチ片２５の後辺２５ｄをＶ字に折り曲げて後被覆片２４の下辺２４ｄへ縫い合わせる。
クロッチ片２５の左辺２５ｂを左被覆片２１の外上辺２１ｂの前被覆片２３より下方へ、クロッチ片２５の右辺２５ｃを右被覆片２２の外上辺２２ｂの前被覆片２３より下方へ縫い合わせる。
【００３１】
（腰締付部７）
図２（Ａ）へ示す通り、腰締付部７は、下衣２の左右の腰即ち左被覆片２１と右被覆片２２の左右の腰を被覆する部分において、下衣２の裏面へ、遠赤外線を発するセラミックを成分とする複数の突起を分布させた部位である。当該複数の突起をプリントにより、下衣２の裏面に設けることができる。
【００３２】
（臀部支持部８）
図１（Ａ）及び図２（Ａ）へ示す通り、臀部支持部８は、下衣２の背面側の臀部の下方を被覆する部分において、下衣２の裏面へ、遠赤外線を発するセラミックを成分とする複数の突起を分布させた部位である。当該複数の突起をプリントにより、下衣２の裏面に設けることができる。
【００３３】
（変更例）
上記の実施の形態において、各部の上記突起は、遠赤外線を発するセラミックを成分とするものを例示した。この他、各部の上記突起は、遠赤外線を発する周知のセラミック以外の素材を成分とするもので実施することもできる。また、身体を刺激し血流を改善することかできるものであれば、遠赤外線を発するものに限定するものではなく、磁気や温熱によるものであっても実施できる。例えば、各部の上記突起は、トルマリンやゲルマニウム、磁石を成分とするものであっても実施できる。
また、上記の実施の形態における血流改善着は、上衣１と、下衣２とを備えるものであった。この他、血流改善着は、上衣１のみ備えるものとしても実施できる。
また、下衣２は、上衣１と別体に形成されたものを例示したが、一体に形成されたものであっても実施できる。
【符号の説明】
【００３４】
１  上衣
２  下衣
３  背骨刺激部
４  脇腹引締部
５  腕引締部
１１  前身頃
１２  後身頃
１３  首根被覆片
１４  袖部
ｄ２１  後ダーツ
ｄ２２  後ダーツ
【図１】
2014201842.tif 000003
【図２】
2014201842.tif 000004
【図３】
2014201842.tif 000005
【図４】
2014201842.tif 000006
【図５】
2014201842.tif 000007